(57)【要約】【課題】他の記録媒体にダビング済みのタイトルでハードディスクに保存しておく必要のないタイトルをユーザが確認してユーザ操作により一括して消去することが可能なハードディスク装置を提供する。【解決手段】ＨＤからＤＶＤへのダビングが実行されている時に、停止操作判定手段はダビング停止操作がされないと判定しダビングが完了すると、ダビング済みフラグ記録処理手段はダビング済みフラグをオンし、当該タイトルのタイトル番号とダビング済みフラグとの関係を示すテーブルとしてＨＤに記録させる。ダビング済みタイトルの一括消去の操作がされた時に、タイトル検出手段はテーブルを参照してダビング済みフラグがオンのタイトル番号のタイトルを検出する。タイトル数判定手段は検出したタイトル数が０個ではないと判定した時、一括消去手段は前記検出したタイトル数のタイトルを一括消去する。【選択図】図１
2007193870.tif 000002
【特許請求の範囲】
【請求項１】
ハードディスクに対して情報の記録／再生を行うハードディスク装置において、
ハードディスクに記録されたタイトルを他の記録媒体にダビングする処理が実行されている時に、ダビング停止操作がされたか否かを判定するダビング停止操作判定手段と、
前記ダビング停止操作がされなかったと判定され、当該タイトルのダビングが完了した時に、当該タイトルのダビングが完了したことを示すダビング済みフラグをオンし、当該タイトルのタイトル番号とダビング済みフラグとの関係をテーブルとしてハードディスクに記録させるダビング済みフラグ記録処理手段と、
ダビング済みタイトルの一括消去の操作がされた時に、ハードディスクに記録された前記テーブルを参照してダビング済みフラグがオンのタイトル番号のタイトルを検出するタイトル検出手段と、
前記検出したタイトル数が０個か否かを判定するタイトル数判定手段と、
前記検出したタイトル数が０個でないと判定された時に、前記検出したタイトルを一括消去する一括消去手段と、を有するシステムコントローラを備えたことを特徴とするハードディスク装置。
【請求項２】
ハードディスクに対して情報の記録／再生を行うハードディスク装置において、
ハードディスクに記録されたタイトルを他の記録媒体にダビングする処理が実行され、当該タイトルのダビングが完了した時に、当該タイトルのダビングが完了したことを示すダビング済みフラグをオンし、当該タイトルのタイトル番号とダビング済みフラグとの関係をテーブルとしてハードディスクに記録し、
ダビング済みタイトルの一括消去の操作がされた時に、ハードディスクに記録された前記テーブルを参照してダビング済みフラグがオンのタイトル番号のタイトルを検出し、この検出したタイトルを一括消去する制御を行うシステムコントローラを備えたことを特徴とするハードディスク装置。
【請求項３】
前記システムコントローラは、ハードディスクに記録されたタイトルを他の記録媒体にダビングする処理が実行されている時に、ダビング停止操作がされたか否かを判定するダビング停止操作判定手段と、前記ダビング停止操作がされなかったと判定され、当該タイトルのダビングが完了した時に、当該タイトルのダビングが完了したことを示すダビング済みフラグをオンし、当該タイトルのタイトル番号とダビング済みフラグとの関係をテーブルとしてハードディスクに記録させるダビング済みフラグ記録処理手段と、ダビング済みタイトルの一括消去の操作がされた時に、ハードディスクに記録された前記テーブルを参照してダビング済みフラグがオンのタイトル番号のタイトルを検出するタイトル検出手段と、前記検出したタイトル数が０個か否かを判定するタイトル数判定手段と、前記検出したタイトル数が０個でないと判定された時に、前記検出したタイトルを一括消去する一括消去手段と有することを特徴とする請求項２に記載のハードディスク装置。
【発明の詳細な説明】
【技術分野】
【０００１】
本発明は、ハードディスクに対して情報の記録／再生を行うハードディスク装置に関し、特に、ハードディスクに記録されたタイトルを消去する際の処理に関する。
【背景技術】
【０００２】
近年、映像情報および音声情報のデジタル化および、そのデータの圧縮技術の目覚しい発達により、磁気テープに対して映像音声情報を記録／再生するＶＣＲ（ビデオ・カセット・レコーダ）に代わり、光ディスクであるＤＶＤ（デジタル・バーサタイル・ディスク）に対して映像音声情報を記録／再生する光ディスク装置や、ハードディスクに対して映像音声情報を記録／再生するハードディスク装置が普及してきている。また、光ディスク装置とハードディスク装置とが組み込まれた複合型記録再生装置も普及してきている。
【０００３】
ところで、ＤＶＤは、ディスク１枚当たり約４．７ＧＢ程度の容量になるが、ハードディスクは、８０ＧＢから数百ＧＢの容量を持っているので、ハードディスクは、テレビ番組のような長時間の情報を記録するのに適している。したがって、テレビ番組を記録するのに、ハードディスク装置が用いられることが多い。そして、ハードディスク装置によりテレビ番組（タイトル）が記録されたハードディスクの中から保存しておきたいテレビ番組を選んでＤＶＤにダビングしたい場合、光ディスク装置をハードディスク装置に接続し、ハードディスクに記録されたテレビ番組の映像音声情報をＤＶＤにダビングすると言う使い方がある。なお、光ディスク装置とハードディスク装置とが組み込まれた複合型記録再生装置においては、ハードディスクからＤＶＤに記録するダビングモードに設定すれば、ハードディスクに記録されたテレビ番組の映像音声情報をＤＶＤにダビングすることができる。
【特許文献１】特開２００４−５６３９６号公報
【特許文献２】特開２００５−１８２９０６号公報
【特許文献３】特開２００５−２６０５６２号公報
【特許文献４】特開２００２−２４５７１６号公報
【発明の開示】
【発明が解決しようとする課題】
【０００４】
ハードディスク装置では、数百に及ぶタイトルをハードディスクに記録させることができるが、ハードディスクの残量不足や記録可能なタイトル数などの制限によりタイトルを複数消去する必要が生じる場合があり、この場合に多くのタイトルから不必要なタイトルだけを選別して消去するのに、従来のハードディスク装置では、次のようなタイトル消去方法によって行なわれていた。
【０００５】
従来のハードディスク装置におけるタイトル消去方法としては、ハードディスク内の消去したいタイトルをリモコン操作で個別に選択して一つずつ消去する個別消去方法と、ハードディスク内のタイトルをリモコンで全て消去する一括消去方法と、ハードディスク内の消去したい複数のタイトルをリモコン操作で選択して一括して消去する複数消去方法とがある。
【０００６】
しかしながら、ハードディスクの残量不足や記録可能なタイトル数などの制限により不要なタイトルを複数消去する必要が生じた場合、前記のような個別消去方法や複数消去方法により、例えば、数十から数百に及ぶ多くのタイトルから不要なタイトルだけを選別して消去するのは、消去作業に多くの時間がかかり、リモコンを操作し、作業の手順も非常に煩わしいと言う課題が生じる。
【０００７】
なお、特許文献１の従来技術は、複写元のソースメディアから動画蓄積装置内のハードディスクに動画データをダビングする際に、複写元の記録媒体と複写先の記録媒体の双方にダビングした区間を示す複写情報を記憶させ、この複写情報に基づいて動画データを複写元の記録媒体から自動的に削除するようにしているが、ユーザが削除したい動画データを確認せずに複写元の記録媒体から消去してしまうことになり、ユーザにとっては不便を感じることがある。また、複写元の記録媒体の動画データを複写先の記録媒体にダビングした場合、その動画データが複写元の記録媒体から消えてしまうので、ユーザによっては、前記ダビングしても、その動画データを複写元の記録媒体にも残しておきたい場合には、対処することができず、ユーザにとっては使い勝手が悪くなる。また、この従来技術は、ユーザ操作により選択された動画データ（タイトル）を一括消去できるようにしたものではない。
【０００８】
特許文献２の従来技術は、ＤＶＤなどへのダビングに際して、平均記録レートの高い方の映像データの記録容量がＤＶＤに収まる場合、平均記録レートの低い映像データをハードディスクから自動的に消去するものであるが、ユーザが消去したい動画データを確認せずにハードディスクから消去してしまうことになり、ユーザにとっては不便を感じることがある。また、ハードディスクの動画データをＤＶＤにダビングした場合、その動画データがハードディスクから消えてしまうので、ユーザによっては、前記ダビングしても、その動画データをハードディスクにも残しておきたい場合には、対処することができず、ユーザにとっては使い勝手が悪くなる。また、この従来技術は、ユーザ操作により選択された動画データ（タイトル）を一括消去できるようにしたものではない。
【０００９】
特許文献３の従来技術は、高速ダビングを行って、第１の記録媒体の第１，第２の記録領域の空き領域の不足が検出されたとき、保存優先度の低い映像音声データを消去するものであるが、ユーザ操作により選択された映像音声データ（タイトル）を一括消去できるようにしたものではない。
【００１０】
特許文献４の従来技術は、例えば、ＣＤなどの光ディスクからハードディスクにデータをダビングするものであり、ハードディスクの残量不足や記録可能なタイトル数などの制限により不要なタイトルを複数消去する必要が生じた場合に、他の記録媒体にダビング済みのタイトルをユーザ操作により一括消去できるようにしたものではない。
【００１１】
本発明は、上記のような課題を解決するためになされたもので、他の記録媒体にダビング済みのタイトルでハードディスクに保存しておく必要のないタイトルをユーザが確認してユーザ操作により一括して消去することが可能なハードディスク装置を提供することを目的とする。
【課題を解決するための手段】
【００１２】
上記目的を達成するために、請求項１の発明は、ハードディスクに記録されたタイトルを他の記録媒体にダビングする処理が実行されている時に、ダビング停止操作がされたか否かを判定するダビング停止操作判定手段と、前記ダビング停止操作がされなかったと判定され、当該タイトルのダビングが完了した時に、当該タイトルのダビングが完了したことを示すダビング済みフラグをオンし、当該タイトルのタイトル番号とダビング済みフラグとの関係をテーブルとしてハードディスクに記録させるダビング済みフラグ記録処理手段と、ダビング済みタイトルの一括消去の操作がされた時に、ハードディスクに記録された前記テーブルを参照してダビング済みフラグがオンのタイトル番号のタイトルを検出するタイトル検出手段と、前記検出したタイトル数が０個か否かを判定するタイトル数判定手段と、前記検出したタイトル数が０個でないと判定された時に、前記検出したタイトルを一括消去する一括消去手段とを有するシステムコントローラを備えたことを特徴とするハードディスク装置を提供する。
【００１３】
この構成において、ハードディスクから他の記録媒体へのダビングが実行されている時に、停止操作判定手段は、ダビング停止操作がされたか否かを判定する。ダビング停止操作がされたと判定された時は、ダビングを終了させるが、ダビングダビング停止操作がされないと判定された時は、ダビングが続行されており、ダビングが完了したと判定すると、ダビング済みフラグ記録処理手段は、当該タイトルのダビングが完了したことを示すダビング済みフラグをオンし、当該タイトルのタイトル番号とダビング済みフラグとの関係を示すテーブルとしてハードディスクに記録させる。
【００１４】
ダビング済みタイトルの一括消去の操作がされた時に、タイトル検出手段は、ハードディスクに記録されたテーブルを参照してダビング済みフラグがオンのタイトル番号のタイトルを検出する。次に、タイトル数判定手段は、検出したタイトル数が０個か否かを判定し、検出したタイトル数が０個であると判定した時は、この一括消去処理を終了させるが、検出したタイトル数が０個ではないと判定した時は、一括消去手段は、前記検出したタイトル数のタイトルを一括消去する。
【００１５】
この構成によれば、ハードディスクから他の記録媒体に一度ダビング済みのタイトルについてはダビング済みフラグをハードディスクに記録しておき、ダビング済みタイトルの一括消去がユーザによって操作された場合、ダビング済みフラグを検出することによって、ハードディスクに記録されているダビング済みのタイトルの消去を行うようにしたので、他の記録媒体にダビング済みのタイトルでハードディスクに保存しておく必要のないタイトルをユーザが確認してユーザ操作により一括して消去することができるようになる。したがって、ユーザにとっては、ハードディスクに記録されている不要なタイトルを一括で消去することができるので、消去作業を簡単かつ短時間で行うことができる。また、ハードディスク上の不要なタイトルを消去することにより、ハードディスクの記録容量の残量を効果的に増やすことができる。
【００１６】
請求項２の発明は、ハードディスクに記録されたタイトルを他の記録媒体にダビングする処理が実行され、当該タイトルのダビングが完了した時に、当該タイトルのダビングが完了したことを示すダビング済みフラグをオンし、当該タイトルのタイトル番号とダビング済みフラグとの関係をテーブルとしてハードディスクに記録し、ダビング済みタイトルの一括消去の操作がされた時に、ハードディスクに記録された前記テーブルを参照してダビング済みフラグがオンのタイトル番号のタイトルを検出し、この検出したタイトルを一括消去する制御を行うシステムコントローラを備えたことを特徴とするハードディスク装置を提供する。
【００１７】
この構成において、ハードディスクに記録されたタイトルを他の記録媒体にダビングする処理が実行され、当該タイトルのダビングが完了した時に、ダビング済みフラグがオンされる。当該タイトルのタイトル番号とダビング済みフラグとの関係を示すテーブルがハードディスクに記録される。ダビング済みタイトルの一括消去の操作がされた時に、テーブルを参照してダビング済みフラグがオンのタイトル番号のタイトルが検出され、この検出されたタイトルが一括消去される。
【００１８】
この構成によれば、ハードディスクから他の記録媒体に一度ダビング済みのタイトルについてはダビング済みフラグをハードディスクに記録しておき、ダビング済みタイトルの一括消去がユーザによって操作された場合、ダビング済みフラグを検出することによって、ハードディスクに記録されているダビング済みのタイトルの消去を行うようにしたので、他の記録媒体にダビング済みのタイトルでハードディスクに保存しておく必要のないタイトルをユーザが確認してユーザ操作により一括して消去することができるようになる。したがって、ユーザにとっては、ハードディスクに記録されている不要なタイトルを一括で消去することができるので、消去作業を簡単かつ短時間で行うことができる。また、ハードディスク上の不要なタイトルを消去することにより、ハードディスクの記録容量の残量を効果的に増やすことができる。
【００１９】
請求項３の発明では、請求項２の発明において、前記システムコントローラは、ハードディスクに記録されたタイトルを他の記録媒体にダビングする処理が実行されている時に、ダビング停止操作がされたか否かを判定するダビング停止操作判定手段と、前記ダビング停止操作がされなかったと判定され、当該タイトルのダビングが完了した時に、当該タイトルのダビングが完了したことを示すダビング済みフラグをオンし、当該タイトルのタイトル番号とダビング済みフラグとの関係をテーブルとしてハードディスクに記録させるダビング済みフラグ記録処理手段と、ダビング済みタイトルの一括消去の操作がされた時に、ハードディスクに記録された前記テーブルを参照してダビング済みフラグがオンのタイトル番号のタイトルを検出するタイトル検出手段と、前記検出したタイトル数が０個か否かを判定するタイトル数判定手段と、前記検出したタイトル数が０個でないと判定された時に、前記検出したタイトルを一括消去する一括消去手段と有する。
【００２０】
したがって、前記システムコントローラは、ダビング停止操作判定処理、ダビング済みフラグ記録処理、タイトル検出処理、タイトル数判定処理、および一括消去処理を実現でき、これにより、他の記録媒体にダビング済みのタイトルでハードディスクに保存しておく必要のないタイトルをユーザが確認してユーザ操作により一括して消去する処理を行うことができるようになる。
【発明の効果】
【００２１】
以上のように本発明によれば、ハードディスクに記録されたタイトルを他の記録媒体にダビングする処理が実行されている時に、ダビング停止操作がされたか否かを判定するダビング停止操作判定手段と、前記ダビング停止操作がされなかったと判定され、当該タイトルのダビングが完了した時に、当該タイトルのダビングが完了したことを示すダビング済みフラグをオンし、当該タイトルのタイトル番号とダビング済みフラグとの関係をテーブルとしてハードディスクに記録させるダビング済みフラグ記録処理手段と、ダビング済みタイトルの一括消去の操作がされた時に、ハードディスクに記録された前記テーブルを参照してダビング済みフラグがオンのタイトル番号のタイトルを検出するタイトル検出手段と、前記検出したタイトル数が０個か否かを判定するタイトル数判定手段と、前記検出したタイトル数が０個でないと判定された時に、前記検出したタイトルを一括消去する一括消去手段とを有するシステムコントローラを備えたので、他の記録媒体にダビング済みのタイトルでハードディスクに保存しておく必要のないタイトルをユーザが確認してユーザ操作により一括して消去することができるようになる。したがって、ユーザにとっては、ハードディスクに記録されている不要なタイトルを一括で消去することができるので、消去作業を簡単かつ短時間で行うことができる。また、ハードディスク上の不要なタイトルを消去することにより、ハードディスクの記録容量の残量を効果的に増やすことができる。
【００２２】
また、本発明によれば、ハードディスクに記録されたタイトルを他の記録媒体にダビングする処理が実行され、当該タイトルのダビングが完了した時に、当該タイトルのダビングが完了したことを示すダビング済みフラグをオンし、当該タイトルのタイトル番号とダビング済みフラグとの関係をテーブルとしてハードディスクに記録し、ダビング済みタイトルの一括消去の操作がされた時に、ハードディスクに記録された前記テーブルを参照してダビング済みフラグがオンのタイトル番号のタイトルを検出し、この検出したタイトルを一括消去する制御を行うシステムコントローラを備えたので、他の記録媒体にダビング済みのタイトルでハードディスクに保存しておく必要のないタイトルをユーザが確認してユーザ操作により一括して消去することができるようになる。したがって、ユーザにとっては、ハードディスクに記録されている不要なタイトルを一括で消去することができるので、消去作業を簡単かつ短時間で行うことができる。また、ハードディスク上の不要なタイトルを消去することにより、ハードディスクの記録容量の残量を効果的に増やすことができる。
【発明を実施するための最良の形態】
【００２３】
以下、添付図面を参照しつつ、本発明の実施の形態について説明する。図１は本発明の一実施形態に係るハードディスク装置が組み込まれた複合型記録再生装置の構成を示すブロック図である。
【００２４】
この複合型記録再生装置１は、光ディスクとしてのＤＶＤ（デジタル・バーサタイル・ディスク）１３に対して情報の記録／再生を行うＤＶＤレコーダである光ディスク装置２と、ＨＤ（ハードディスク）１４に対して情報の記録／再生を行うハードディスクドライブ（ＨＤＤ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をモニタ装置（テレビ受信機など）１２で表示可能な映像信号に変換する映像出力部７と、デコーダ５で復号された音声信号をモニタ装置１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２５】
システムコントローラ１０は、本実施形態の特徴として、ＨＤ１４に記録されたタイトルをＤＶＤ１３にダビングする処理が実行されている時に、リモコン１１などによりダビング停止操作がされたか否かを判定するダビング停止操作判定手段１０１と、前記ダビング停止操作がされなかったと判定され、当該タイトルのダビングが完了した時に、当該タイトルのダビングが完了したことを示すダビング済みフラグをオンし、当該タイトルのタイトル番号とダビング済みフラグとの関係をテーブルとしてＨＤ１４に記録させるダビング済みフラグ記録処理手段１０２と、ダビング済みタイトルの一括消去の操作がされた時に、ＨＤ１４に記録された前記テーブルを参照してダビング済みフラグがオンのタイトル番号のタイトルを検出するタイトル検出手段１０３と、前記検出したタイトル数が０個か否かを判定するタイトル数判定手段１０４と、前記検出したタイトル数が０個でないと判定された時に、前記検出したタイトルを一括消去する一括消去手段１０５と有する。
【００２６】
図２は本実施形態においてタイトル番号とダビング済みフラグとの関係を示すテーブルの内容の一例を示す図である。このテーブル１５において、タイトル番号Ｔ１，Ｔ３，Ｔ４，Ｔ１２０，Ｔ１２１，Ｔ１２４に対するダビング済みフラグがオンされており、タイトル番号Ｔ２，Ｔ５，Ｔ６，Ｔ１２２，Ｔ１２３に対するダビング済みフラグがオフされている。このテーブル１５によれば、タイトル番号Ｔ１，Ｔ３，Ｔ４，Ｔ１２０，Ｔ１２１，Ｔ１２４の各タイトルは、ＤＶＤ１３にダビング済みであることを示している。
【００２７】
図３は本実施形態においてダビング済みフラグの登録処理を説明するためのフローチャートである。このフローチャートおよび図１、図２を参照してダビング済みフラグの登録処理について説明する。
【００２８】
先ず、ユーザは、リモコン１１のトレイ開閉キーを押下してトレイを開き、このトレイにＤＶＤ−ＲやＤＶＤ−ＲＷなどのような書き込み可能なＤＶＤ１３を載置し、再びトレイ開閉キーを押下してＤＶＤ１３を複合型記録再生装置１内の光ディスク装置２に挿入しておく。また、ＨＤ１４には、例えば、タイトル番号Ｔ１〜Ｔ６の各タイトル（テレビ番組）が記録されているものとする。
【００２９】
このような状態において、ユーザは、ＨＤ１４からＤＶＤ１３へのダビングモードに設定する操作をリモコン１１により行うと、システムコントローラ１０は、そのダビングモードに設定されたことを検出する（ステップＳ１）。そして、リモコン１１によりダビング開始操作がされると、システムコントローラ１０は、ダビング開始操作がされたことを検出し（ステップＳ２）、ハードディスク装置３および光ディスク装置２を駆動させ、ＨＤ１４に記録されたタイトルをハードディスク装置３により読み出させ、この読み出させたタイトルを光ディスク装置２によりＤＶＤ１３に書き込ませる。即ち、システムコントローラ１０は、所謂ＨＤ１４からＤＶＤ１３へのタイトルのダビングを実行する（ステップＳ３）。例えば、タイトル番号Ｔ１のタイトルのダビングを実行させるリモコン操作が行われると、ＨＤ１４からＤＶＤ１３へのタイトル番号Ｔ１のタイトルのダビングが実行される。
【００３０】
このようにしてダビングが実行されている時に、システムコントローラ１０のダビング停止操作判定手段１０１は、リモコン１１によるダビング停止操作がされたか否かを判定する（ステップＳ４）。ダビング停止操作がされたと判定された時は、システムコントローラ１０は、ダビングを中断させるが（ステップＳ７）、ダビング停止操作がされないと判定された時は、ダビングが続行されており、ダビングが完了したと判定すると（ステップＳ５）、ダビング済みフラグ記録処理手段１０２は、当該タイトルのダビングが完了したことを示すダビング済みフラグをオンし、当該タイトルのタイトル番号とダビング済みフラグとの関係を示すテーブル１５としてハードディスク装置３を介してＨＤ１４に記録させる（ステップＳ６）。例えば、当該タイトルのタイトル番号がＴ１であれば、テーブル１５に示すように、タイトル番号Ｔ１に対応してダビング済みフラグをオンに設定する。なお、当該タイトルのダビングが中断された場合は、当該タイトルのタイトル番号に対応するダビング済みフラグをオフする。
【００３１】
このような処理により、タイトル番号Ｔ３，Ｔ４の各タイトルについても、ダビングが完了したときは、テーブル１５に示すように、タイトル番号Ｔ３，Ｔ４にそれぞれ対応してダビング済みフラグをオンする。
【００３２】
図４は本実施形態においてダビング済みタイトルの一括消去を行う処理を説明するためのフローチャートである。このフローチャートおよび図１、図２を参照してダビング済みタイトルの一括消去を行う処理について説明する。
【００３３】
先ず、ユーザは、ダビング済みタイトルの一括消去を行うためのリモコン操作を行うと、システムコントローラ１０は、ダビング済みタイトルの一括消去を行うためのリモコン操作がされたことを検出し（ステップＮ１）、タイトル検出手段１０３は、ハードディスク装置３を駆動させ、ＨＤ１４に記録されたテーブル１５を、ハードディスク装置３を介して読み出し、テーブル１５を参照してダビング済みフラグがオンのタイトル番号のタイトルを検出する（ステップＮ２）。
【００３４】
次に、システムコントローラ１０のタイトル数判定手段１０４は、検出したタイトル数が０個か否かを判定し（ステップＮ３）、検出したタイトル数が０個であると判定した時は、この一括消去処理を終了させるが（ステップＮ５）、検出したタイトル数が０個ではないと判定した時は、一括消去手段１０５は、ハードディスク装置３を駆動させ、前記検出したタイトル数のタイトル（ＨＤ１４上のタイトル）を一括消去する（ステップ４）。例えば、テーブル１５では、タイトル番号Ｔ１，Ｔ３，Ｔ４，Ｔ１２０，Ｔ１２１，Ｔ１２４に対応するダビング済みフラグがオンを示しているので、タイトル番号Ｔ１，Ｔ３，Ｔ４，Ｔ１２０，Ｔ１２１，Ｔ１２４の各タイトルが一括消去されることになる。
【００３５】
以上説明したように本実施形態によれば、ＨＤ１４からＤＶＤ１３に一度ダビング済みのタイトルについてはダビング済みフラグをＨＤ１４に記録しておき、ダビング済みタイトルの一括消去がユーザによってリモコン操作（本体操作部の操作でも良い）された場合、ダビング済みフラグを検出することによって、ＨＤ１４に記録されているダビング済みのタイトルの消去を行うように構成したので、ＤＶＤ１３にダビング済みのタイトルでＨＤ１４に保存しておく必要のないタイトルをユーザによるリモコン操作により一括して消去することができるようになる。したがって、ユーザにとっては、ＨＤ１４に記録されている不要なタイトルを確認して一括で消去することができるので、消去作業を簡単かつ短時間で行うことができる。不要なタイトルの確認は、ＤＶＤ１３にダビングしたタイトルのタイトル番号をモニタ装置１２に表示させることによって行うことができる。また、ＨＤ１４上の不要なタイトルを消去することにより、ＨＤ１４の記録容量の残量を効果的に増やすことができる。
【００３６】
なお、上記実施形態では、ハードディスク装置と光ディスク装置とが組み込まれた複合型記録再生装置において、ダビング済みフラグの登録およびダビング済みタイトルの一括消去について説明したが、これに限らす、ハードディスク装置に光ディスク装置またはビデオカセットレコーダが接続された場合も、同様な処理により、ダビング済みフラグの登録およびダビング済みタイトルの一括消去を行うことができる。
【産業上の利用可能性】
【００３７】
本発明は、映像音声データを記録／再生するハードディスク装置においてタイトルの一括消去を行う処理に利用することができる。
【図面の簡単な説明】
【００３８】
【図１】本発明の一実施形態に係るハードディスク装置が組み込まれた複合型記録再生装置の構成を示すブロック図である。
【図２】前記実施形態においてタイトル番号とダビング済みフラグとの関係を示すテーブルの内容の一例を示す図である。
【図３】前記実施形態においてダビング済みフラグの登録処理を説明するためのフローチャートである。
【図４】前記実施形態においてダビング済みタイトルの一括消去を行う処理を説明するためのフローチャートである。
【符号の説明】
【００３９】
１０    システムコントローラ
１３    ＤＶＤ（他の記録媒体）
１４    ＨＤ（ハードディスク）
１５    テーブル
１０１    ダビング停止操作判定手段
１０２    ダビング済みフラグ記録処理手段
１０３    タイトル検出手段
１０４    タイトル数判定手段
１０５    一括消去手段
【図１】
2007193870.tif 000003
【図２】
2007193870.tif 000004
【図３】
2007193870.tif 000005
【図４】
2007193870.tif 000006